(57)【要約】【課題】真珠を保護するためのケースを提供する。【解決手段】保護ケース１００は真珠を収容する閉鎖内容積部を画定する壁３、第１及び第２のケース部品１，２とを有し、これらケース部品は、透明な材料で作られていて、閉鎖内容積部を画定するよう互いに解除可能に閉じられ、閉じられたときにこれらケース部品を開かないよう互いにロックする不可逆式ロック機構体１１，１２を有し、ロック機構体は、ケースを開くためには壊されなければならず、ロック機構体は、ケース内に配置されるとともに第１のケース部品及び第２のケース部品のうちの少なくとも一方の透明な材料越しに見え、その結果、ロック機構体の状態がケースの外側から識別可能であり、ロック機構体の状態は、壊されていないか壊されているかのいずれかである。【選択図】図８
2020203065.tif 000002
【特許請求の範囲】
【請求項１】
真珠用の保護ケースであって、前記ケースは、
前記ケースが閉じられたときに真珠を収容する閉鎖内容積部を画定している壁を有し、
第１のケース部品及び第２のケース部品を有し、前記第１及び前記第２のケース部品は各々、前記ケースの前記壁の相当大きな壁部分を形成し、前記第１及び前記第２のケース部品は、前記閉鎖内容積部を画定するよう互いに解除可能に閉じられるようになっており、前記前記第１及び前記第２のケース部品の各々は、透明な材料で形成され、
閉じられたときに前記第１のケース部品と前記第２のケース部品を互いにロックして前記第１のケース部品と前記第２のケース部品が開かれるのを阻止するようになった不可逆式ロック機構体を有し、前記ロック機構体は、前記ケースを開くためには壊されなければならず、
前記ロック機構体は、前記ケース内に配置されるとともに前記第１のケース部品及び前記第２のケース部品のうちの少なくとも一方の前記透明な材料越しに見え、その結果、前記ロック機構体の状態が前記ケースの外側から識別可能であり、前記ロック機構体の前記状態は、壊されていないか壊されているかのいずれかである、ケース。
【請求項２】
前記ケースは、前記閉じられた内容積部を画定するよう前記第１のケース部品と前記第２のケース部品を互いに解除可能に閉じるようになった結合機構体をさらに有する、請求項１記載のケース。
【請求項３】
前記第１のケース部品と前記第２のケース部品は、前記ケースを閉じるよう互いに解除可能に結合されるようになっており、そして前記ケースを開くよう互いに分離される、請求項２記載のケース。
【請求項４】
前記結合機構体は、ねじ山付き係合部を含み、前記ロック機構体は、前記第１のケース部品と前記第２のケース部品が前記ケースを開くよう外されると、壊される、請求項３記載のケース。
【請求項５】
前記ケースの外面は、実質的に球形である、請求項１〜４のうちいずれか一に記載のケース。
【請求項６】
前記第１及び前記第２のケース部品の各々の外面は、実質的に半球形である、請求項１〜５のうちいずれか一に記載のケース。
【請求項７】
前記ロック機構体は、少なくとも１つの歯及び少なくとも１本のレバーを含み、前記ケースを閉じる際、前記レバーは、前記ロック機構体を損傷させないで前記歯上に乗っかり、前記ケースを開くと、前記少なくとも１つの歯及び／又は前記少なくとも１本のレバーが壊される、請求項１〜６のうちいずれか一に記載のケース。
【請求項８】
前記第１及び前記第２のケース部品のうちの一方は、前記少なくとも１つの歯から成り、前記第１及び前記第２のケース部品のうちの他方は、前記少なくとも１本のレバーから成る、請求項７記載のケース。
【請求項９】
前記少なくとも１つの歯は、前記第１及び前記第２のケース部品のうちの一方と一体に形成されている、請求項８記載のケース。
【請求項１０】
前記少なくとも１本のレバーは、前記第１及び前記第２のケース部品のうちの他方と一体に形成されている、請求項８又は９記載のケース。
【請求項１１】
前記ロック機構体は、複数の歯を含む、請求項７〜１０のうちいずれか一に記載のケース。
【請求項１２】
前記ロック機構体は、複数のレバーを含む、請求項７〜１１のうちいずれか一に記載のケース。
【請求項１３】
前記ロック機構体は、ラチェットを含み、前記ケースを開くと、歯及び／又は前記ラチェットのレバー又は爪が壊される、請求項１〜１２のうちいずれか一に記載のケース。
【請求項１４】
前記第１及び前記第２のケース部品のうちの一方は、ラチェット歯車から成り、前記第１及び前記第２のケース部品のうちの他方は、前記歯車の歯に係合するラチェット爪又はレバーから成る、請求項１３記載のケース。
【請求項１５】
前記ケースは、固有の識別子を有する、請求項１〜１４のうちいずれか一に記載のケース。
【請求項１６】
前記ケースは、汚染物が前記ケースの内側に達するのを制限し又は阻止するためのシールを有する、請求項１〜１５のうちいずれか一に記載のケース。
【請求項１７】
前記シールは、前記ケース内の制御された雰囲気を維持するための圧力又は気密シールである、請求項１６記載のケース。
【請求項１８】
前記ケースは、たった１つの真珠だけを収容するようになっている、請求項１〜１７のうちいずれか一に記載のケース。
【請求項１９】
ケース入り真珠であって、前記ケースは、請求項１〜１８のうちいずれか一に記載のケースであり、前記ケースは、前記真珠が前記ケースの内側に位置した状態で閉じられる、ケース入り真珠。
【請求項２０】
前記真珠は、前記ケース内の不活性雰囲気内に封入されている、請求項１９記載のケース入り真珠。
【請求項２１】
前記不活性雰囲気は、正圧を有する、請求項２０記載のケース入り真珠。
【発明の詳細な説明】
【技術分野】
【０００１】
本発明は、一般に、真珠を保護するためのケース及び真珠を保護するための方法に関する。本発明はまた、真珠を封入するための装置に関する。
【背景技術】
【０００２】
真珠は、希少な美しい物として何世紀にもわたって高く評価されている。海水中で真珠貝から採れる真珠（オイスターパール）は、最も良く知られておりかつ最も商業的に重要な真珠である。オイスターパールは、真珠の層、すなわち、真珠貝の殻を形成する真珠質層の分泌物で用いられるのと同一の物質で作られる。オイスターパールは、非常に魅力があり、しかも光が真珠の表面上で反射するときに光を散らばらせる真珠の互いにオーバーラップした層によって生じるその高い光沢及び虹色について高く評価されている。
【０００３】
真珠は、刺激物が真珠貝、イガイ、又は二枚貝の中に取り込まれたときに自然のプロセスによって作られる。軟体動物は、殻を形成するのと同一の材料で刺激物を覆うよう働く。何層も重ねる手法を真珠が形成されるまで行う。
【０００４】
真珠は、天然物か養殖物かのいずれかである。天然（又は自然に生じる）真珠は、自然に生じる刺激物（通常、寄生生物）周りに形成され、したがって、人間の介在なしに形成される。天然真珠は、極めて希少である。１つでも自然に生じる真珠を見つけ出すためには、何百個の真珠用の真珠貝又はイガイが集められて開かれ、かくして死にいたらされなければならない。多くの国々に関し、このことが、真珠を得る唯一の手法であり、真珠が歴史的にかかる桁外れの価格で売れる理由であった。
【０００５】
養殖真珠は、刺激物（種又は核）を熟練者によって真珠貝の中に手作業で配置することによって人間の介在によって作られる。真珠貝は、海中（真珠養殖場）のラック内に吊り下げられ、成長するよう放置され、真珠は、種付けされた刺激物に真珠質層を何層も重ねることで、天然真珠の場合と同一の自然なプロセスによって真珠貝内で形成される。かくして、養殖真珠は、Ｘ線によって核が真珠内に存在しているかどうかを判定する方法以外では、天然真珠とは識別できない。
【０００６】
真珠は、コレクターのアイテムとして個々に販売され、宝石類に嵌め込まれ又は紐に通した状態又は首飾りの状態で販売される。真珠の価値は、他の貴重な宝石用原石の価値とほぼ同じに認められ、価値は、サイズ、形状（例えば、真円度）、色、表面品質及び光沢で決まる。
【０００７】
天然産出の真珠よりは希少ではないが、養殖真珠は、真珠形成プロセスを大量生産向きにすることができないので依然として高く評価されている。真珠貝は、核（nucleus）を受け入れるための操作をする前に、成熟した年齢に達しなければならない。真珠貝を産卵から養殖場内で成長させ、かかる真珠貝は、成熟するには３年を要する場合がある。真珠貝を一度に１個の真珠で種付けすることしかできず、核周りに真珠質層を形成する自然のプロセスは、何年もかかる。その場合でさえ、形成される真珠の一部分だけが宝石用原石の品質のものである。養殖プロセスはまた、極めて労働力を要し、したがってコスト高であり、真珠貝は、殻の成長を除くために洗浄を必要とし、しかも真珠貝の健康は、モニタリングを必要とする。種付けプロセスは、秘匿事項であり、真珠会社及びさらに個々の技術者は、自分たちの好ましいかつ最も首尾良い種付け作業を秘匿状態に保っている。かくして、一流の宝石製造業者によって使用されるのに適し又は個々のコレクション品として適している高品質養殖真珠もまた、極めて希少であり、したがって、極めて魅力がありかつ極めて高価である。
【０００８】
他の宝石用原石、例えばダイヤモンドとは異なり、真珠の光沢及び表面品質は、使用によって経時的にゆっくりと低下する場合があり、しかも化学薬品又は研磨性表面との接触によって損傷を受ける場合がある。ダイヤモンドは、真珠よりも２〜４倍硬い。真珠質層は、ほぼ１００％の炭化カルシウム及びコキオリンである。コンキオリンは、炭化カルシウムを結合する有機物質である。炭化カルシウムは、酸性溶液中に溶け、それどころか、弱酸溶液でも真珠の表面を損傷させる場合がある。あるプラスチックは、真珠の表面を劣化させる化学物質を放出する場合がある。真珠は、長期間にわたって安全な貴重品箱内に保管されてはならず、と言うのは、安全な貴重品箱を保つ乾燥大気条件が真珠を乾燥させてしまう場合があり、それにより真珠が小さな表面割れ目を成長させる場合があるからである。真珠の所有者に提供されるアドバイスは、真珠は、所有者が「身につけるときに手に取る最後のものであり、そして帰宅したときに最初に外すべきものである」ということである。
【発明の概要】
【発明が解決しようとする課題】
【０００９】
真珠を保護するための方法及び／又は使用により又は化学物質もしくは他の表面との接触によって劣化しないよう保護するための保護ケースを提供することが望ましい。また、真珠を保存し、しかも真珠を人が見ることができるとともに／あるいは楽しむことができるようにする方法又は保護ケースを提供することが望ましい。さらに、真正性及び元の状態（及びかくして価値及び品質）を維持して確認することができるよう真珠を保持する方法又は保護ケースを提供することが望ましい。
【００１０】
本発明の目的は、上述の欠点のうちの１つ又は２つ以上を解決し又は少なくとも有用な選択肢を公衆に提供することにある。
【課題を解決するための手段】
【００１１】
本発明の第１の観点によれば、真珠用の保護ケースであって、ケースは、
ケースが閉じられたときに真珠を収容する閉鎖内容積部を画定している壁を有し、
第１のケース部品及び第２のケース部品を有し、第１及び第２のケース部品は各々、ケースの壁の相当大きな壁部分を形成し、第１及び第２のケース部品は、閉鎖内容積部を画定するよう互いに解除可能に閉じられるようになっており、第１及び第２のケース部品の各々は、透明な材料で形成され、
閉じられたときに第１のケース部品と第２のケース部品を互いにロックして第１のケース部品と第２のケース部品が開かれるのを阻止するようになった不可逆式ロック機構体を有し、ロック機構体は、ケースを開くためには壊されなければならず、
ロック機構体は、ケース内に配置されるとともに第１のケース部品及び第２のケース部品のうちの少なくとも一方の透明な材料越しに見え、その結果、ロック機構体の状態がケースの外側から識別可能であり、ロック機構体の状態は、壊されていないか壊されているかのいずれかであることを特徴とするケースが提供される。
【００１２】
幾つかの実施形態では、ケースは、閉じられた内容積部を画定するよう第１のケース部品と第２のケース部品を互いに解除可能に閉じるようになった結合機構体をさらに有する。
【００１３】
幾つかの実施形態では、第１のケース部品と第２のケース部品は、ケースを閉じるよう互いに解除可能に結合されるようになっており、そしてケースを開くよう互いに分離される。
【００１４】
幾つかの実施形態では、結合機構体は、ねじ山付き係合部を含み、ロック機構体は、第１のケース部品と第２のケース部品がケースを開くよう外されると、壊される。
【００１５】
幾つかの実施形態では、ケースの外面は、実質的に球形である。
【００１６】
幾つかの実施形態では、第１及び第２のケース部品の各々の外面は、実質的に半球形である。
【００１７】
幾つかの実施形態では、ケースの内面は、実質的に球形である。
【００１８】
幾つかの実施形態では、ロック機構体は、少なくとも１つの歯及び少なくとも１本のレバーを含み、ケースを閉じる際、レバーは、ロック機構体を損傷させないで歯上に乗っかり、ケースを開くと、少なくとも１つの歯及び／又は少なくとも１本のレバーが壊される。
【００１９】
幾つかの実施形態では、第１及び第２のケース部品のうちの一方は、少なくとも１つの歯から成り、第１及び第２のケース部品のうちの他方は、少なくとも１本のレバーから成る。
【００２０】
幾つかの実施形態では、少なくとも１つの歯は、第１及び第２のケース部品のうちの一方と一体に形成されている。
【００２１】
幾つかの実施形態では、少なくとも１本のレバーは、第１及び第２のケース部品のうちの他方と一体に形成されている。
【００２２】
幾つかの実施形態では、ロック機構体は、複数の歯を含む。
【００２３】
幾つかの実施形態では、ロック機構体は、複数のレバーを含む。
【００２４】
幾つかの実施形態では、ロック機構体は、ラチェットを含み、ケースを開くと、歯及び／又はラチェットのレバー又は爪が壊される。
【００２５】
幾つかの実施形態では、第１及び第２のケース部品のうちの一方は、ラチェット歯車から成り、第１及び第２のケース部品のうちの他方は、歯車の歯に係合するラチェット爪又はレバーから成る。
【００２６】
幾つかの実施形態では、ケースは、固有の識別子を有する。
【００２７】
幾つかの実施形態では、ケースは、汚染物がケースの内側に達するのを制限し又は阻止するためのシールを有する。
【００２８】
幾つかの実施形態では、シールは、ケース内の制御された雰囲気を維持するための圧力又は気密シールである。
【００２９】
幾つかの実施形態では、ケースは、たった１つの真珠だけを収容するようになっている。
【００３０】
本発明の第２の観点によれば、ケース入り真珠が提供される。ケースは、真珠がケースの内側に位置した状態で閉じられる。ケースは、上記実施形態項のうちの任意の１つ又は２つ以上に記載されている。幾つかの実施形態では、真珠は、ケース内の不活性雰囲気内に封入されている。幾つかの実施形態では、不活性雰囲気は、正圧の状態にある。
【００３１】
真珠を保管するとともに保護する方法が記載される。この方法は、
不活性ガスを有する封入チャンバ内に真珠及び開いたケースを配置するとともに／あるいはこのチャンバを不活性ガスでパージするステップを含み、
真珠を封入チャンバ内の開いたケース内に配置するステップを含み、
封入チャンバ内のケースを閉じて、閉じられたケースが不活性雰囲気及び真珠を収容するステップを含み、ケースは、ケース内に不活性雰囲気を封止するようになっており、
真珠がケースによって封入された状態で封入チャンバから閉じられたケースを取り出すステップを含む。
【００３２】
幾つかの実施形態では、真珠及び開いたケースを封入チャンバ内に配置するステップは、
真珠及び開いたケースを前側移送チャンバ内に配置し、前側移送チャンバを不活性ガスでパージするステップと、
前側移送チャンバと封入チャンバを流体結合するステップと、
真珠及び開いたケースを前側移送チャンバから封入チャンバに移送するステップと、
移送チャンバを封入チャンバから流体的に切り離すステップとを含む。
【００３３】
幾つかの実施形態では、ケースを包装チャンバから取り出すステップは、
後側移送チャンバをパージするステップと、
後側移送チャンバと包装チャンバを流体結合するステップと、
真珠がケースによって封入された状態で設置チャンバから閉じられたケースを後側移送チャンバに移送するステップと、
設置チャンバを後側移送チャンバから流体的に切り離すステップと、
真珠がケースによって封入された状態で後側移送チャンバから閉じられたケースを取り出すステップとを含む。
【００３４】
この方法は、好ましくは、本発明の第１の観点に関して上述した記載内容のうちの任意の１つ又は２つ以上に記載されているように真珠をケース内に封入するために用いられる。
【００３５】
真珠が本物であることを証明する方法は、本発明の第１の観点に関して上述した記載内容のうちの任意の１つ又は２つ以上に記載されているように真珠をケース内に封入するステップを含み、ケースは、固有の識別子を備えている。好ましくは、この方法は、複数の真珠に関して真珠仕様の登録簿を維持するステップを含み、登録簿は、各真珠に関する上述の固有の識別子を有する。各一義的識別子は、シリアルナンバーであるのが良い。
【００３６】
真珠をケース内の不活性雰囲気中に封入する装置が記載される。ケースは、第１のケース部品及び第２のケース部品を有し、第１及び第２のケース部品は各々、第１のケース部品と第２のケース部品を互いに閉じてケースを閉じると、真珠を収容する閉じられた内容積部を画定するようケースの壁の相当大きな壁部分を形成し、この装置は、
封入チャンバを有し、
封入チャンバへの不活性ガス供給源を有し、この不活性ガス供給源は、このガス供給源によって提供される不活性ガスによって封入チャンバの中から空気をパージし、
第１及び第２のケース部品を保持するとともに／あるいは位置決めするトレーを有し、
第１のケース部品を取り扱うマニピュレータを有し、このマニピュレータは、第１のケース部品を第２のケース部品に動かして２つのケース部品を互いに閉じてケースを閉じるようになっている。
【００３７】
幾つかの実施形態では、マニピュレータは、フレーム、第１のケース部品を捕捉するようフレームによって支持されたピックアップ、及びフレームを動かしてピックアップを第１のケース部品と第２のケース部品との間で動かすためのアクチュエータを有する。
【００３８】
幾つかの実施形態では、トレーは、第２のケース部品の内側が真珠を受け入れるよう第２のケース部品の内側を上方に向けた状態で第２のケース部品を受け入れる凹部を有する。
【００３９】
幾つかの実施形態では、トレーは、第１のケース部品の内側を下方に向けた状態で第１のケース部品が位置決めされる突出部を有する。
【００４０】
幾つかの実施形態では、装置は、負圧を凹部に加えて第２のケース部品を凹部内に固定するための空気圧供給源を有する。
【００４１】
幾つかの実施形態では、装置は、ノズルを有し、このノズルは、トレーのポートに係合して空気圧供給源をポートと凹部との間の導管経由で凹部に連結するよう動くことができる。
【００４２】
幾つかの実施形態では、フレームは、第１のフレーム及び第２のフレームを有し、アクチュエータは、第１のフレームを第１の方向に動かし、第２のアクチュエータが第２のフレームを第１の方向と直交した第２の方向に動かす。
【００４３】
幾つかの実施形態では、第１の方向は、水平であり、第２の方向は、垂直である。
【００４４】
幾つかの実施形態では、ピックアップは、吸引カップを有し、この吸引カップは、負の空気圧をカップに加えてケースの第１の部品をピックアップに吸い付けることによってケースの第１の部品に固定される。
【００４５】
幾つかの実施形態では、ケースは、第１のケース部品と第２のケース部品との間にねじ山付き係合部又は螺合部を有し、第１のケース部品と第２のケース部品は、ケースを閉じるよう互いに螺合され、装置は、ピックアップを回転したり伸長させたりして第１の部品を第２の部品に螺合してケースを閉じるための回転機構体を有する。
【００４６】
幾つかの実施形態では、装置は、トレーを動かして入口ハッチを経て封入チャンバに入り、そして出口ハッチを経て封入チャンバを出るようにするための器具を有する。
【００４７】
幾つかの実施形態では、トレーは水平方向に動かされる。
【００４８】
幾つかの実施形態では、フレームは、トレーの水平方向と直交した水平方向に動くようになっている。
【００４９】
幾つかの実施形態では、装置は、前側移送チャンバ、入口ハッチ、入口ハッチを開閉するアクチュエータを有し、前側移送チャンバは、入口ハッチが開かれると封入チャンバに流体結合され、入口ハッチが閉じられると封入チャンバから流体的に分離され、装置は、入口ハッチが閉じられると、不活性ガスにより前側移送チャンバの中から空気をパージするよう前側移送チャンバに連結された不活性ガス供給源及び、入口ハッチが開かれるとトレーを前側移送チャンバから封入チャンバに動かすための器具をさらに有する。
【００５０】
幾つかの実施形態では、装置は、後側移送チャンバ、出口ハッチ、出口ハッチを開閉するアクチュエータを有し、後側移送チャンバは、出口ハッチが開かれると封入チャンバに流体結合され、出口ハッチが閉じられると封入チャンバから流体的に分離され、装置は、出口ハッチが閉じられると、不活性ガスにより後側移送チャンバの中から空気をパージするよう後側移送チャンバに連結された不活性ガス供給源及び、出口ハッチが開かれるとトレーを封入から後側移送チャンバに動かすための器具をさらに有する。
【００５１】
幾つかの実施形態では、移送チャンバの容積は、封入チャンバの容積よりも実質的に小さい。
【００５２】
幾つかの実施形態では、装置は、複数の真珠を同時に処理するようになっており、トレーは、複数のケース及び複数の真珠を保持するとともに／あるいは位置決めする。
【００５３】
全ての新規な観点で考慮されるべき本発明の別の観点は、本発明の実用的応用の少なくとも一実施例を提供する以下の説明を読むと当業者には明らかになろう。
【００５４】
以下において、以下の図面を参照して、本発明の１つ又は２つ以上の実施形態を例示としてのみ、しかも本発明を限定する意図なく、説明する。
【図面の簡単な説明】
【００５５】
【図１】本発明の好ましい一実施形態に係る真珠のためのケースを示す図である。
【図１ａ】ケースを宝石類に取り付ける取り付け部を有する真珠のためのケースを示す図である。
【図２】ケースが部分的に分離された状態の図１のケースを示す図である。
【図３】ケースの壁の相当大きな部分を提供し又は形成するケースの第１の部品を示す図である。
【図４】シール及びケースの壁の相当大きな部分を提供し又は形成するケースの第２の部品を示す図であり、第１の部品と第２の部品が一緒になって、第１の部品と第２の部品を互いに閉じたときにケースの閉鎖壁を形成している状態を示す図である。
【図５】ケースの第１の部品の内側を示すためのケースの第１の部品の端面図である。
【図６】ケースの第２の部品の内側を示すためのケースの第２の部品の端面図である。
【図７】閉じられたケースの断面図であり、断面がケースの中心線上に位置している状態を示す図である。
【図８】ケースの一方向ロック機構体の断面図である。
【図９】真珠をケース内のケース不活性雰囲気中に封入するための装置を示す図であり、この装置が封入チャンバを有している状態を示す図である。
【図１０】真珠をケース内のケース不活性雰囲気中に封入するための装置を示す図であり、この装置が封入チャンバを有している状態を示す図である。
【図１１】装置の開いた前側移送チャンバ内に位置決めされた開いたケース及び真珠を保持するための図９及び図１０の装置のトレーを示す図である。
【図１２】図９及び図１０の装置のトレーを示す図である。
【図１３】トレー内に受け入れられた真珠を封入するための開いたケースの２つのケース部品を示す図であり、真珠が２つのケース部品のうちの一方の中に受け入れられている状態を示す図である。
【図１４】装置の前側移送チャンバと封入チャンバとの間の閉じられた入口ハッチを示す図である。
【図１５】トレーがハッチを経て装置の封入チャンバ中に移送されている状態及び真珠を封入チャンバ内のケース内に閉じ込めるようケースを取り扱うマニピュレータを示す図である。
【図１６】トレーがハッチを経て装置の封入チャンバ中に移送されている状態及び真珠を封入チャンバ内のケース内に閉じ込めるようケースを取り扱うマニピュレータを示す図である。
【図１７】トレーのポート及びこのポートに係合して負圧をトレーの凹部に加えて凹部内に受け入れられたケース部品を固定するための空気圧システムのノズルを示す図である。
【図１８】負圧をトレー凹部に加えるためにトレーのポート内に受け入れられたノズルを示す図である。
【図１９】マニピュレータのフレームを動かすためのアクチュエータを示す図である。
【図２０】マニピュレータがケースの第１の部品と整列した状態を示す図である。
【図２１】ケースの第１の部品に係合しているマニピュレータのピックアップを示す図である。
【図２２】マニピュレータがケースの第１の部品をケースの第２の部品に係合させている状態を示す図である。
【図２３】マニピュレータが封入された真珠から引っ込められた状態を示す図である。
【図２４】封入チャンバと開いた後側移送チャンバとの間の開いた出口ハッチを示す図である。
【図２５】トレーが装置から取り出された封入状態の真珠を支持している状態を示す図である。
【発明を実施するための形態】
【００５６】
図１〜図８を参照して本発明の実施形態にかかる真珠を保護するためのケースについて説明する。ケース１００は、真珠を保持し又は収容するための閉じられた内容積部を画定する壁３を有する。ケース１００は、ケースの第１のケース部品１又は側部及びケースの第２のケース部品２又は側部を有する。第１及び第２のケース部品１，２は各々、ケース１００の壁３の相当大きな部分を画定している。図示の実施形態では、第１の部品１と第２の部品２は、一緒になって、ケースの壁３全体を形成している。第１及び第２の部品１，２は、真珠を収容するための閉じられた内容積部を画定するよう互いに解除可能に閉じられるようになっている。部品１，２は、閉じられると、ケース１００の閉じられた壁３を一緒になって形成し又は実質的に形成する。図示の実施形態では、第１及び第２の部品１，２は、互いに解除可能に結合されるようになっている。図１は、ケース内の閉じられた容積部内に収容された真珠を保護するための閉じられたケースを形成するよう互いに結合された第１及び第２の部品を示している。図２は、ケースの内部又はケースの第１及び第２の部品／壁部分の各々の内部への接近を可能にするよう互いに分離された第１の部品１と第２の部品２を示している。
【００５７】
好ましい実施形態では、閉じられると、ケースは、図１に示されているように実質的に球形である外面４を有する。閉じられたケース１００の内面５もまた、好ましくは、実質的に球形である。図示の実施形態では、外面４と内面５は、同一の曲率半径を共有し、その結果、ケースの壁３は、内面と外面との間に一定の壁厚を有するようになっている。
【００５８】
球形ケースは、丸形真珠に特に適しており、丸形又は球の形をした真珠は、最も魅力がありかつ高く評価される。しかしながら、本発明の逸脱することなく、他の形状を想定することができる。例えば、ケース１００は、異なる形状の真珠、例えば、涙滴形をした真珠に合致するよう形作られても良く、あるいは、ケースによって収容されるべき真珠の形状以外の形状のものであっても良い。好ましくは、ケースは、特定の形をした真珠、例えば丸形（球形）又は涙滴形と一致するよう形作られる。
【００５９】
図示の実施形態では、第１及び第２の部品１，２の各々は、形状は実質的に半球形である。第１及び第２の部品１，２の各々の外面４ａ，４ｂは、実質的に半球形である。第１及び第２の部品１，２の各々は、実質的に半球形の内面５ａ，５ｂを有する。第１及び第２の部品１，２の実質的に半球形の内面は、２つの部品１，２を互いに係合させて好ましくは丸形真珠を収容する場合、閉じられた実質的に球形の表面５を形成するよう互いに組み合わさる。
【００６０】
第１及び第２の部品は、２つの部品を解除可能に閉じ又は互いに結合するための係合特徴部又は結合機構体を有する。図示の実施形態では、結合機構体は、２つの部品相互間のねじ山付き係合部又は螺合部を有する。第１及び第２の部品のうちの一方は、雄ねじ７を有し、第１及び第２の部品のうちの他方は、これと合致する雌ねじ６を有し、その結果、２つの部品１，２を互いに螺合させて、２つの部品１，２を互いに解除可能に結合することができるように成っている。ケースを開くため、部品をケース部品相互間の相対回転により互いに外す。雄ねじ及び雌ねじは、半球形の内面５ａ，５ｂの半径方向外方に形成される。他の別の係合特徴部又は結合機構体、例えば２つの部品相互間のヒンジ留め構造が可能である。好ましくは、図示の実施形態の場合と同様、結合機構体は、ケースの内側、すなわちケースの外面の内側に位置する。
【００６１】
ケース１００は、好ましくは実質的に、透明な材料で作られる。好ましくは、第１及び第２の部品１，２の各々は、実質的に、透明な材料から作られ、その結果、ケース内の真珠は、ケースの第１及び第２の部品越しに実質的に見えるようになっている。真珠の実質的に全体がケース越しに見える。好ましい１つの透明な材料は、アクリル樹脂、アクリルガラス、プレキシガラスとも呼ばれ、商標名Crylux（商標）、Plexiglas（商標）、Acrylite（商標）、Lucite（商標）及びPerspex（商標）として知られているＰＭＭＡ（ポリメチルメタクリレート）である。ＰＭＭＡは、高い透明度（９９％）を有し、しかも他の重要な属性、例えば耐ひっかき性を有し、軽量であり、しかも熱可塑性樹脂であるため、ＰＭＭＡは、射出成形に適している。他の材料、例えばガラス又は他のガラス状エンジニアリングプラスチックが可能である。好ましくは、材料は、９０％の最小透明度を有する。
【００６２】
本発明によれば、ケースは、ロック又はいたずら防止機構体１０（本明細書においてはロック機構体）を有する。ロック機構体１０は、ロック機構体が第１及び第２の部品１，２を互いに結合してケースを閉じることができるよう一方向性であり、この場合、ロック機構体は、ケースを閉じる間、部品の相対運動を阻止するよう働くことはない。しかしながら、一方向性ロック機構体は、第１及び第２の部品１，２が開かれるのを阻止する。ロック機構体は、ロック機構体が壊され又は破壊されない限り、ケースが開かれるのを阻止するよう機能する。したがって、ロック機構体は、不可逆式ロック機構体である。ロック機構体は、ケースを開くことによって壊され又は破壊される。例えば、図示の実施形態では、ロック機構体は、一方のケース部品が他方から外されたときに壊される。
【００６３】
好ましくは、第１及び第２の部品は各々、機械式突出部を有し、第１の部品の機械式突出部は、第２の部品の機械式突出部に係合し、それにより一方向性ロック機構体が提供される。図示の実施形態に関し、特に、図５〜図８を参照すると、第１及び第２の部品１，２のうちの一方は、少なくとも１つの歯１１を有し、第１及び前記第２の部品のうちの他方は、歯１１に係合するレバー１２を有する。歯１１は、傾斜面又はカム面１１ａを有し、その結果、２つの部品１，２を互いに閉じると、レバー１２は、傾斜面又はカム面１１ａ上に乗って歯１１又はレバー１２を損傷させることなく、２つの部品１，２を閉じることができるようになっている。歯は、肩１１ｂを有する。レバー１２もまた、肩１２ｂを備える。レバーの肩１２ｂは、ケースが開かれるのを阻止するよう歯の肩１１ｂに当たる。ケースを開くためには、力をケースに加えて肩１１ｂ、１２ｂを互いに押し、ついには、レバー１２及び／又は歯１１が破断し／ポキッと折れ、それによりケース１００を開くことができる。
【００６４】
図示の実施形態を参照すると、第１及び第２の部品１，２のうちの一方は、好ましくは、複数の歯１１から成り、第１及び第２の部品１，２のうちの他方は、上述したように歯１１に係合するための少なくとも１本のレバー１２から成る。かかる実施形態では、一方向性ロック機構体は、ラチェットであり、第１及び第２の部品のうちの一方は、ラチェットの歯車１３から成り、第１及び第２の部品のうちの他方は、ラチェットの爪１１又はレバー１１から成る。好ましくは、歯１１は、等間隔を置いて配置される。図示の実施形態では、歯１１は、円周方向に等間隔を置いて配置されている。好ましくは、１つ又は複数の歯は、第１及び／又は第２の部品と一体に形成される。
【００６５】
図示の実施形態は、複数のレバー又は爪１２を含む。レバー１２は、ケースを閉じたときに弾性撓みにより歯１１上に乗るよう動くが、レバーは、第１又は第２の部品に回転可能に結合されるとともにばねによって付勢されるのが良く、それにより第１及び第２の部品のうちの他方の歯に係合する。この図示の実施形態は、６本のレバー１２を有するが、１本又は２本以上のレバー１２が設けられても良く、この図示の実施形態は、７本以上のレバー１２を有することができる。レバーは、好ましくは、等間隔を置いて配置される。図示の実施例では、レバーは、円周方向に互いに間隔を置いて配置されている。好ましくは、レバーは、第１及び／又は第２の部品と一体に形成される。
【００６６】
図示の実施形態では、図４及び図６を参照すると、レバー１２は、レバーの自由端部１２ｂとは反対側のレバーの一端部１２ａのところでケース部品２に取り付けられている。レバーの端部は、ケース部品の円筒形壁２ａに取り付けられている。レバーは、自由端部と反対側の端部から片持ちされるのが良い。少なくとも、レバーの自由端部１２ｂの一部分は、例えばこれがケースを閉じる間に他方のケース部品の歯に乗ると、例えば半径方向外方に撓む。レバーの自由端部１２ｂは、レバー１２及び／又は歯１１を破断することなく、ケースの開放を阻止するよう歯１１に当接する。加うるに、図示の実施形態では、レバー１２は、その長さに沿ってケース部品２の側面（図４では２ｂで示されている）に取り付けられている。側面は、ケースの直径面に平行である。幾つかの実施形態では、レバーは、一端部のところだけがケース部品２に取り付けられ又はケース部品２から片持ちされても良く、あるいはケース部品の円筒形表面への取り付けを行わないで、その長さに沿って側面に取り付けられても良い。
【００６７】
歯１１及び／又は爪／レバー１２の数は、ケースを開くことができるようにするためにロック機構体を壊すための所望の力を達成するよう提供されるのが良い。ロック機構体は、必ずトルクをケースに加えるための工具、例えばプライヤ又は他の把持もしくはクランプ工具を使用しなければならないよう設計されるのが良い。
【００６８】
他の一方向性ロック機構体が可能である。例えば、ケースが凹部に受け入れられるべき舌部を有する一方向性留め具を有するのが良く、舌部の肩は、舌部又は凹部を破断することなく、ケースが開くのを阻止するよう凹部の肩に係合する。舌部は、凹部内に受け入れられるよう弾性的に撓むことができる。留め具は、複数の舌部及び対応の凹部を有するのが良い。かかる実施形態では、２つの部品１，２は、２つの部品を互いに閉じてケースを閉じるために互いにヒンジ留めされても良く、あるいは互いに圧接されても良い。ケースを開けるためには、ケース部品を引き離してケース部品を分離するとともに舌部及び／又は凹部肩突出部を破断しなければならない。
【００６９】
ロック機構体１１，１２は、ケースの内側に、すなわちケースの外面の内側に設けられる。図示の実施形態では、ロック機構体は、ケースの内面と外面との間に設けられる。図示の実施形態では、ロック機構体は、内面の半径方向外方に設けられる。図示の実施形態では、ロック機構体は、結合器後退６，７の半径方向内方に設けられる。
【００７０】
ロック機構体は、ケースの内側に設けられるので、ロック機構体をいたずらすることができず又は無効化することができない。ロック機構体は、閉じられたケースの外側から接近可能ではない。例えば、キー溝が設けられていない。ロック機構体をロック位置からロック解除位置に動かすには、必ず、ロック機構体及び／又はケース、すなわちケースの壁を壊さなければならない。ケースは、ロック機構体を壊すことによってのみ又は切断工具でケースの壁を切り開くことによってのみ開放可能である。したがって、ロック機構体は、不可逆式である。
【００７１】
上述したように、ケース１００の第１及び第２の部品１，２は、透明である。ケース内に配置されたロック機構体は、ケースの外側からケースの第１及び第２の部品１，２のうちの少なくとも一方の透明な材料越しに見える。ロック機構体１１，１２をケースの透明な材料越しに見ることによって、ロック機構体１１，１２の状態を確かめることができ、この状態は、無傷／壊されていないか、破られている／壊されているかのいずれかである。無傷のロック機構体は、真珠がケース内に閉じ込められた後に開かれてはいないことを証明する。閉じられたケースの外側から見える壊されたロック機構体は、真珠がケース内に閉じ込められた後に少なくとも１回ケースが開かれて再び閉じられたことを証明している。したがって、閉じられたケース内のロック機構体の状態は、ケースによって保護された真珠の真正性を確認するために使用できる。
【００７２】
好ましい実施形態では、ケースは、汚染物がケースの内側に達するのを制限し又は阻止するためのシールを有する。図示の実施形態では、シール１５を含む。シールは、制御された雰囲気をケースの内側に維持するための圧力又は気密シールである。シールは、Ｏリング又は他の封止部材もしくはガスケットであるのが良い。図示の実施形態では、シールは、Ｏリング形シールであり、これは、第２の部品２に設けられているＯリング形溝１６内に受け入れられる。しかしながら、シールは、第１の部品１に設けられた溝その他の中に受け入れられても良い。シール１５は、エラストマー材料から成るのが良い。好ましい一実施形態では、シールは、透明であり、例えば、透明なエラストマー材料、例えば透明なシリコーンゴムである。幾つかの実施形態では、シール溝は、従来の金属、例えば金で覆われるのが良く、その結果、シールは、透明なケースの外側から見ることができないようになっている。幾つかの実施形態では、シールは、貴金属から成っていても良くかつ／あるいは従来の金属コーティングから成っていても良い。例えば、シールは、金から成っていても良くあるいは金メッキであっても良い。シールは、フェース／軸方向シール又はバレル／円周方向シールであるのが良い。ケースの内側とその周りの雰囲気との間のシールの健全性を高めるよう２つ以上のシール部材が設けられるのが良い。シールは、ケースが閉じられたときに第１の部品と第２の部品との間でサンドイッチされたガスケットであるのが良く、ガスケットの外縁面は、ケースの外面、すなわちケースの球形外面の一部分をなす。
【００７３】
好ましい実施形態では、シールは、不活性雰囲気をケースの内側に維持するようになっている。好ましくは、シールは、正圧（周囲圧力よりも高い圧力）をケースの内側に維持するようになっている。真珠のケース入れ作業の際、真珠を制御された雰囲気内で２つの部品のうちの一方の内側に配置する。次に、２つの部品を互いに結合して制御された雰囲気条件が閉じられたケース内に捕捉されるようにする。シールは、ケースを制御された雰囲気から取り出した後でも制御された雰囲気条件をケース内に維持する。
【００７４】
制御された雰囲気条件は、不活性ガスを含むのが良い。例えば、制御された雰囲気条件は、１体積％未満、又は０．５体積％未満、又は０．３体積％未満の酸素を含む不活性ガスから成るのが良い。不活性ガスは、窒素又は他の適当な気体であるのが良い。制御された雰囲気条件は、正圧、例えば大気圧よりも約１００〜２００ｋＰＡ高い圧力を有するのが良い。
【００７５】
好ましい実施形態では、ケースは、固有の識別子、例えば固有のシリアルナンバーを有し、その結果、サイズ、形状（例えば、真円度）、色、表面品質、光沢及び任意他の属性、例えば出所を含む真珠の仕様を登録簿に記録することができ、そしてケース内に入れられている真珠と照合することができるようになっている。固有の識別子は、ケースに型打ちされ、エッチングされ、又はレーザ又は他の適当な手段によって施されるのが良い。識別子は、ケースの内面に施されかつケースの第１及び／又は第２の部品の透明な材料越しにケースの外側から見えるのが良い。識別子は、ケースの外面に施されても良い。
【００７６】
各ケースは、好ましくは、真珠を１つだけ保持するのに適している。様々なケースが提供されるのが良く、様々なケースの各ケースが同一サイズ範囲の真珠に適する。例えば、１つのケースは、同一直径範囲の真珠に適するのが良い。内面５と外面との間の最大隙間、例えば１ｍｍ〜２ｍｍの最大半径方向隙間が指定される場合がある。
【００７７】
好ましくは、ケース寸法及びケース材料は、衝撃に耐えるのに適しており、例えば、硬い表面上に落下したときに壊れないようになっている。ケースがＰＭＭＡ又は他の類似の材料で作られている場合、ケースの壁は、約２〜４ｍｍの厚さを有するのが良い。
【００７８】
幾つかの実施形態では、ケースは、封入された真珠付きのケースを１個の宝石類として着用することができるようになっている。例えば、ケースは、ケースを別の宝石類、例えばネックレスに取り付けるための取り付け具を受け入れるためのケースの外面に設けられた、閉じられた／止り穴を有するのが良い。ケースは、ケースを別の宝石類、例えばネックレスに取り付けるための取り付け機構体を有するのが良い。図１ａに示されているように、取り付け機構体２５は、ケースが閉じられたときに第１の部品１と第２の部品２との間にサンドイッチされるフランジ２６を含むのが良く、取り付け機構体の一部分／タブ２７は、フランジ及びケースの外面から外方に伸びている。フランジの外縁面は、ケースの外面、例えばケースの球形外面の一部をなすのが良い。タブは、別の宝石類への取り付けのための穴を備えるのが良い。
【００７９】
本発明に係るケースは、真珠を着用し又は取り扱うことにより、又は別の物体もしくは化学物質との接触により生じる劣化が起こらないよう保護し、さらに、真珠の真正性及び元の状態を確認できるようにする仕組み又は機構体を提供する。ケースをいったん開くと、真珠の状態は、もはや制御されない。真珠は、再評価されそして新たな固有の識別子のついた新たなケース内に入れられる必要がある。真珠は、本発明に係るケースに封入された状態で販売されるのが良い。
【００８０】
外側ケース又はボックスが提供されるのが良い。外側ケース又はボックス、例えば外側球形ボックスが提供されるのが良く、外側球形ボックスは、木材又は他の魅力的な材料で作られるのが良い。外側ボックスは、ケース１００と同一の形状を有するのが良い。例えば、外側ボックスは、球形であり、球形の外面及び球形の内面を備えるのが良く、内面及び外面は、球形ケース１００に合うよう同一の曲率半径を有する。ボックスは、２つの半部、例えば、２つの半球形半部をから成るのが良い。ボックスは、拡大鏡又はルーペ付きの窓を有するのが良く、その結果、ケース１００ないに封入されている真珠を拡大鏡窓越しに見ることができるようになっている。ボックスの２つの半部は、２つの半部を開き位置と閉じ位置との間で動かすことができるようにするための結合機構体を有するのが良く、例えば、結合機構体は、ヒンジであるのが良い。ボックスは、ボックスの半部を閉じ形態で保持するための機構体、例えばラッチ又は留め具を有しても良く、あるいは、２つの半部を磁力により結合するために一方の半部に設けられた磁気材料及び他方の半部に設けられた磁石を有しても良い。
【００８１】
図９〜図２５を参照して真珠を封入する装置及び方法について説明する。装置は、封入チャンバ５１を有する。装置を操作するためのヒューマン・マシン・インターフェース５５，５７が設けられている。
【００８２】
開いたケース１００（図１６参照）付きの真珠２０が封入チャンバ５１内に配置される。封入チャンバは、このチャンバ内に封入する不活性雰囲気を真珠に提供する。このチャンバは、不活性ガス供給源５４を備え、その結果、ガス供給源によって提供される不活性ガスによってチャンバ５１から空気をパージすることができるようになっている。開いたケース及び真珠がチャンバ内の不活性ガス中にいったん配置されると、ケースは、真珠が内部に配置された状態で閉じられる。ケースをチャンバ内で閉じることにより、閉じられたケース内に不活性ガスが捕捉され、その結果、真珠は、ケース１００内の不活性ガス中に封入されるようになっている。ケースは、不活性雰囲気をケース１００内に封止する。ケースをいったん閉じ状態で封止すると、真珠入りの閉じられたケースをチャンバから取り出す。
【００８３】
真珠２０及び開いたケース１００を封入チャンバ５１内に配置するため、装置５０は、好ましくは、前側移送チャンバ５２を有する。真珠及び開いたケースは、図１１に示されているように移送チャンバ５２内に配置される。移送チャンバを封入チャンバから最初に閉鎖／分離する。前側移送チャンバ内にいったん受け入れられると、移送チャンバを閉じ、不活性ガス供給源、例えば供給源５４によって移送チャンバから空気をパージする。不活性雰囲気が封入チャンバ５１内に維持される。不活性雰囲気が移送チャンバ５２内にいったん達成されると、前側移送チャンバ５２を封入チャンバ５１内に流体結合する。図示の実施形態では、チャンバ５１，５２をエントリー又は入口ハッチ経由で互いに流体結合する。図１４は、チャンバ５１，５２を分離するよう閉じられるとともに封止されたハッチ５８を示し、図１５は、２つのチャンバ５１，５２を互いに連結するよう開かれたハッチ５８を示している。ハッチ５８は、アクチュエータ６７、例えば空気圧アクチュエータによって閉じ及びシール位置と開き位置との間で動かされる。ハッチを開くと、真珠及び開いたケースを前側移送チャンバからハッチ経由で封入チャンバに移送する。真珠及びケースが封入チャンバ内にいったん受け入れられると、ハッチを閉じる。次に、前側移送チャンバのローディング及びパージを次の封入作業のために繰り返す。
【００８４】
真珠２０及び閉じられて封止されたケース１００を封入チャンバから取り出すため、装置５０は、好ましくは後側移送チャンバ５３を有する。後側移送チャンバ５３は、閉じられ、そして不活性ガス供給源、例えば供給源５４によってこれから空気がパージされる。不活性雰囲気が後側移送チャンバ５３内にいったん達成されるとともに真珠封入作業が封入チャンバ５１内でいったん完了すると、後側移送チャンバ５３を封入チャンバ５１に流体結合する。図示の実施形態では、チャンバ５１，５３を出口ハッチ５９経由で互いに流体結合する。図２２は、チャンバ５１，５３を分離するよう閉じられるとともに封止されたハッチ５９を示し、図２４は、２つのチャンバ５１，５３を互いに連結するよう開かれたハッチ５９を示している。ハッチ５９は、アクチュエータ、例えば空気圧アクチュエータによって開き位置と閉じ位置との間で動かされる。ハッチが開くと、真珠及び閉じられたケースを封入チャンバ５１から開かれたハッチ５９経由で後側移送チャンバ５３に移送する。真珠２０及びケース１００が後側移送チャンバ５３内にいったん受け入れられると、ハッチ５９を閉じる。次に、後側移送チャンバを開き、その結果、封入された真珠２０，１００を装置５０から取り出すことができるようになっている。
【００８５】
好ましくは、装置は、複数の真珠を同時に処理するようになっている。図示の実施形態では、装置は、１５個の真珠を同時に取り扱うようになっているが、１６個以上を含む任意の数の真珠を想定することができる。
【００８６】
真珠２０は、好ましくはトレー６０内に支持される。トレーは、ケース１００のケース部品１，２のうちの一方を受け入れるとともに保持／位置を行うための多数の凹部６２（図２１参照）を有する。一方のケース部品２は、部品２の内側が真珠２０を受け入れるためにケース部品２の内側を上方に向けて配置された状態でトレーの凹部６２内に受け入れられる。他方のケース部品１は、ケース部品１の内側が下方に向いた状態で配置される。トレーは、ケース部品１を位置決めする突出部６１（図２１参照）を有するのが良い。真珠は、上方に配置されたケース部品２内に受け入れられる。
【００８７】
装置は、トレー６０を前側移送チャンバから封入チャンバに動かすための器具を有する。この器具は、トレーを動かすためのチェーン駆動装置又は他のアクチュエータから成るのが良い。器具は、トレーの下に配置されるのが良く、この器具は、図では見えないよう隠されている。案内が好ましくは、トレーをこれがいったん封入チャンバ内に受け入れられると正確に案内するとともに位置決めするために設けられている。図示の実施形態では、トレーは、側部レール６３及び封入チャンバ内に設けられていてこれら側部レールに係合する案内６４を有する。案内６４は、トレー６０との低摩擦力接触を可能にするための支承要素を有する。トレー６０は、封入チャンバ中に水平に動く。
【００８８】
上方に向いたケース部品２は、好ましくは、トレーの凹部内に固定される。図１７及び図１８を参照すると、図示の実施形態では、空気圧を採用して部品２をトレー６０内に固定する。トレー６０が封入チャンバ５１内にいったん受け入れられると、空気ノズル／ニードル６５がトレーに設けられた対応のポート６６に係合するよう作動される。図１７は、ポート６６から間隔を置いて位置するノズル６５を示し、図１８は、ポート６６と係合したノズル６５を示している。トレーは、ノズルポート６６及び１つ又は複数の凹部６２との間に延びる導管／ポートを有する。空気ポンプ５６がノズル及びポート６５，６６経由で負圧を凹部６２に提供してケース部品２を凹部６２に吸い付かせ、その結果、ケース部品が動かないよう固定される。
【００８９】
装置５０は、ケース部品１を取り扱うとともに第１及び第２の部品１，２を閉じるためのマニピュレータ７０を有する。マニピュレータ７０は、第１の部品と第２の部品との間で動くようになっており、その結果、第１の部品を第２の部品まで動かして２つの部品を互いに閉じることができるようになっている。図示の実施形態では、マニピュレータは、レール７０上で摺動可能なフレーム７１を有する。マニピュレータレール７２は、トレーレール６３と直交している。フレームは、図１６及び図１９に見えるアクチュエータ７３に世って第１の部品と第２の部品との間で動かされる。アクチュエータ７３は、空気圧アクチュエータであるのが良い。フレーム７１は水平レール７２上で第１のケース部品１と第２のケース部品２との間で水平方向に動かされる。
【００９０】
フレーム７１は、第２のフレーム７４を支持している。第２のフレームは、図１６及び図２４に見える案内７５上で摺動するよう第１のフレーム７１によって支持されている。案内７５により、第２のフレーム７４は、垂直に動くことができる。アクチュエータ７７（例えば、図２３に示されている）が第２のフレームを第１のフレーム上で動かす。
【００９１】
マニピュレータは、ケースの第１の部品を捕捉するためのピックアップを有する。図２０は、ピックアップ７６を示している。図示の実施形態では、ピックアップは、吸引カップ７８を有する。マニピュレータを図２０に示されているようにフレーム７１の運動によってトレー６０上において第１のケース部品と整列させると、ピックアップは、例えば、案内７５上における第２のフレーム７４の運動によって伸長し、ついには、ケースの第１の部品１が図２１に示されているようにピックアップ内に受け入れられる。ピックアップは、この場合、負の空気圧を吸引カップに加えてケースの第１の部品をピックアップに吸い付けることによってケースの第１の部品を固定する。空気圧供給源５６が負圧をカップに与える。次に、マニピュレータは、ケースの第１の部品１を動かしてこれをケースの第２の部品と整列させてケースを閉じる。例えば、マニピュレータは、第２のフレーム７４の垂直運動によってケースの第１の部品を持ち上げ、次に、ケースの第１の部品を第１のフレーム７１の水平運動によって水平に動かし、その結果、ケースの第１の部品がケースの第２の部品２の垂直方向上方に位置して整列するようになる。次に、マニピュレータは、ケースの第１の部品を第２のフレームの垂直運動によりケースの第２の部品上に下降させて、図２２に示されているように第１の部品１と第２の部品２を係合させる。図示の実施形態では、第１及び第２の部品１，２を互いに螺合させてケースを閉じる。ピックアップは、ピックアップを開店させるとともに伸長させて第１の部品を第２の部品に螺合させてケースを閉じるための回転機構体７９を備えている。
【００９２】
ケースをいったん閉じると、ピックアップはケースを解除する。図示の実施形態では、マニピュレータは、図２３に示されているようにピックアップを第２のフレーム７４上で垂直に動かす。マニピュレータは、次の真珠封入作業においてケースの第１の部品をいつでも受け入れる状態にある位置、すなわち、図２０に示されている位置に戻るのが良い。次に、トレーを上述するとともに図２４及び図２５に示されているように、封入チャンバから後側移送チャンバに移送する。トレー６０を次の封入作業で再使用することができ、そして、前側移送チャンバ内にいつでも再装填できるケース及び真珠をトレーに装填する。
【００９３】
文脈上明示の要求がなければ、原文明細書及び原文特許請求の範囲全体を通じて、“comprise”（訳文では、「〜を有する」としている場合が多い）、“comprising”などの用語は、排他的又は網羅的な意味とは対照的に、包括的な意味、すなわち、“including, but not limited to”（「〜を含むが〜には限定されない」）という意味に解されるべきである。
【００９４】
上記及び下記において引用する全ての特許出願、特許及び特許公開の開示内容全体（もしあれば）を参照により引用し、これらの開示内容全体を本明細書の一部とする。
【００９５】
本明細書の任意の先行技術の参照は、その先行技術が世界中の任意の国における努力傾注分野における一般的な知識の一部をなすという承認又は任意の形態の示唆ではなく、しかもかかる承認又は任意形態の示唆として受け取られてはならない。
【００９６】
本発明はまた、本願の明細書中に言及され又は指示された部品、要素及び特徴を個々に又はひとまとまりで、係る部品、要素又は特徴のうちの２つ又は３つ以上の任意の組み合わせ又は全ての組み合わせの状態で含むと広義に言われても良い。
【００９７】
上記説明において、整数又はその既知の均等例を有する成分に言及した場合、これら整数は、本明細書では、あたかも個別的に記載されているかのように含まれる。
【００９８】
注目されるべきこととして、本明細書において説明した現時点において好ましい実施形態に対する種々の変更及び改造は、当業者には明らかであろう。かかる変更及び改造は、本発明の付随の利点を減少させることなく、本発明の精神及び範囲から逸脱しないで実施できる。したがって、かかる変更及び改造は、本発明に含まれるものである。
【符号の説明】
【００９９】
１  第１のケース部品
２  第２のケース部品
３  壁
４ａ，４ｂ  外面
５ａ  内面
６  ねじ山
７  雄ねじ
１１，１２  ロック機構体
１２ａ  一端部
１２ｂ  肩
１６  Ｏリング形溝
１２  レバー
２０  真珠
５０  封入装置
５１  封入チャンバ
５２  前側移送チャンバ
５３  後側移送チャンバ
５５，５７  ヒューマン・マシン・インターフェース
５８  ハッチ
６７  アクチュエータ
１００  ケース
【図１】
2020203065.tif 000003
【図１ａ】
2020203065.tif 000004
【図２】
2020203065.tif 000005
【図３】
2020203065.tif 000006
【図４】
2020203065.tif 000007
【図５】
2020203065.tif 000008
【図６】
2020203065.tif 000009
【図７】
2020203065.tif 000010
【図８】
2020203065.tif 000011
【図９】
2020203065.tif 000012
【図１０】
2020203065.tif 000013
【図１１】
2020203065.tif 000014
【図１２】
2020203065.tif 000015
【図１３】
2020203065.tif 000016
【図１４】
2020203065.tif 000017
【図１５】
2020203065.tif 000018
【図１６】
2020203065.tif 000019
【図１７】
2020203065.tif 000020
【図１８】
2020203065.tif 000021
【図１９】
2020203065.tif 000022
【図２０】
2020203065.tif 000023
【図２１】
2020203065.tif 000024
【図２２】
2020203065.tif 000025
【図２３】
2020203065.tif 000026
【図２４】
2020203065.tif 000027
【図２５】
2020203065.tif 000028
【外国語明細書】
2020203065000001.pdf